(57)【要約】【課題】表示パネルの破損を抑えられるとともに、筐体の強度低下を抑制しつつ表示パネルに対しての電気接続を容易に行える電子機器の技術を提供する。【解決手段】撮像装置(電気機器)は、下面の形状が略平面形状で上面に表示画面ＧＦが設けられたＬＣＤユニット３１１ｕと、ＬＣＤユニット３１１ｕを収納する凹部ＣＶを有したリアカバー(筐体)ＲＣとを備えている。そして、凹部ＣＶ内の底面は、ＬＣＤユニット３１１ｕの下面形状に適合した平面性を有している。また、凹部ＣＶの側壁ＷｓａにはＬＣＤユニット３１１ｕのフレキ３１１ｆを通す孔Ｈａが形成され、この孔Ｈａの周辺にリアカバーＲＣと一体として形成された補強リブが設けられている。以上のような構成により、ＬＣＤユニット(表示パネル)３１１ｕの破損を抑えられ、リアカバーＲＣの強度低下を抑制しつつ撮像装置内部からＬＣＤユニット３１１ｕに対しての電気接続を容易に行える。【選択図】図６
2010230755.tif 000002
【特許請求の範囲】
【請求項１】
上面に表示画面が設けられた表示パネル部と、
前記表示パネル部の下部から前記表示パネル部を収納する凹形状部を有した筐体と、
を備えており、
前記凹形状部内の底面は、前記表示パネル部の下面形状に適合した形状を有し、
前記凹形状部の側壁には前記表示パネル部に関する電気部品を通す貫通孔が形成されるとともに、当該貫通孔の周辺に前記筐体と一体として形成された補強リブが設けられる電子機器。
【請求項２】
上面に表示画面が設けられた表示パネル部と、
前記表示パネル部の下部から前記表示パネル部を収納する凹形状部を有した筐体と、
を備えており、
前記凹形状部内の底面は、前記表示パネル部の下面形状に適合した形状を有し、
前記凹形状部の側壁には前記表示パネル部に関する電気部品を通す貫通孔が形成されるとともに、当該貫通孔の周辺に前記筐体と一体として形成された補強リブが設けられる撮像装置。
【請求項３】
前記表示パネル部の下面形状は、略平面形状であり、
前記凹形状部内の底面は、平面性を有している請求項２記載の撮像装置。
【請求項４】
前記表示画面に対応した透明部分を有し、前記凹形状部の開口を塞ぐ板状の部材、
をさらに備える請求項２記載の撮像装置。
【請求項５】
前記板状の部材は、当該板状の部材に対して略垂直方向に配置された前記凹形状部の側壁の上方に載設される請求項４記載の撮像装置。
【発明の詳細な説明】
【技術分野】
【０００１】
本発明は、表示パネル部を備えた電子機器の技術に関する。
【背景技術】
【０００２】
デジタルカメラなどの撮像装置(電子機器)では、背面に液晶ディスプレイなどの表示パネルが取り付けられているものが多い。
【０００３】
ここで、上記の表示パネルの固定には板金部品が使用されることがあるが、この場合には軽量化を図るため、表示パネルの下面を保持する板金部品の下部(底部)中央に比較的大きな孔が設けられることとなる。
【０００４】
しかし、板金部品の下部中央に孔を設けると表示パネルの下面は端部のみが保持されて中央付近の支持がなくなるため、表示パネルの中央付近などに外力(荷重)が加わると剪断力により表示パネルが割れて破損してしまうという不具合が生じる。
【０００５】
一方、この不具合を改善する技術として、表示パネルを収納する凹部が設けられたカバーを備える電子機器の技術が例えば特許文献１に開示されている。
【先行技術文献】
【特許文献】
【０００６】
【特許文献１】特開２００７−２４９１２７号公報
【発明の概要】
【発明が解決しようとする課題】
【０００７】
しかしながら、上記特許文献１の電子機器の技術では、凹部の側面などに凹部の内外を貫く貫通孔が設けられていないため、例えばフレキシブルプリント配線板などの電気部品を用いて電子機器内部の電気回路等から表示パネルに対しての電気接続を行うのが容易でない。
【０００８】
一方、上記凹部の側面に単に貫通孔を設けた場合には、その周辺のカバー(筐体)の強度が低下する恐れがある。
【０００９】
本発明は、上記課題に鑑みてなされたものであり、表示パネルの破損を抑えられるとともに、筐体の強度低下を抑制しつつ表示パネルに対しての電気接続を容易に行える電子機器の技術を提供することを目的とする。
【課題を解決するための手段】
【００１０】
本発明の第１の側面は、電子機器であって、上面に表示画面が設けられた表示パネル部と、前記表示パネル部の下部から前記表示パネル部を収納する凹形状部を有した筐体とを備えており、前記凹形状部内の底面は、前記表示パネル部の下面形状に適合した形状を有し、前記凹形状部の側壁には前記表示パネル部に関する電気部品を通す貫通孔が形成されるとともに、当該貫通孔の周辺に前記筐体と一体として形成された補強リブが設けられる。
【００１１】
また、本発明の第２の側面は、撮像装置であって、上面に表示画面が設けられた表示パネル部と、前記表示パネル部の下部から前記表示パネル部を収納する凹形状部を有した筐体とを備えており、前記凹形状部内の底面は、前記表示パネル部の下面形状に適合した形状を有し、前記凹形状部の側壁には前記表示パネル部に関する電気部品を通す貫通孔が形成されるとともに、当該貫通孔の周辺に前記筐体と一体として形成された補強リブが設けられる。
【発明の効果】
【００１２】
本発明によれば、筐体に設けられた凹形状部内の底面は凹形状部に収納する表示パネル部の下面形状に適合した形状を有し、凹形状部の側壁には表示パネル部に関する電気部品を通す貫通孔が形成されるとともに、当該貫通孔の周辺に筐体と一体として形成された補強リブが設けられる。その結果、表示パネルの破損を抑えられるとともに、筐体の強度低下を抑制しつつ表示パネルに対しての電気接続を容易に行える。
【図面の簡単な説明】
【００１３】
【図１】本発明の実施形態に係る撮像装置１の外観構成を示す図である。
【図２】撮像装置１の外観構成を示す図である。
【図３】撮像装置１の電気的な構成を示すブロック図である。
【図４】リアカバーＲＣの外観構成を示す図である。
【図５】図４のＶ−Ｖ位置から見た断面図である。
【図６】リアカバーＲＣの構成を説明するための斜視図である。
【図７】リアカバーＲＣの構成を説明するための斜視図である。
【図８】ＬＣＤユニット３１１ｕに係るフレキシブルプリント配線板３１１ｆおよび板バネＢＳの配置を説明するための図である。
【図９】板バネＢＳの周辺を拡大した図である。
【発明を実施するための形態】
【００１４】
＜実施形態＞
［撮像装置の要部構成］
図１〜図２は、本発明の実施形態に係る撮像装置１の外観構成を示す図である。図１および図２は、撮像装置１の正面外観図および背面外観図である。この撮像装置１は、例えば一眼レフレックスタイプのデジタルスチルカメラとして構成された携帯型の電子機器として機能し、カメラボディ１０と、カメラボディ１０に着脱自在な撮影レンズとしての交換レンズ２とを備えている。
【００１５】
カメラボディ１０の筐体は、例えばプラスチックで形成されたフロントカバーＦＣ（図１）やリアカバーＲＣ(図２)などの複数のパーツからなっている。なお、リアカバーＲＣの構成については、後で詳述する。
【００１６】
図１において、カメラボディ１０の正面側には、正面略中央に交換レンズ２が装着されるマウント部３０１と、マウント部３０１の右横に配置されたレンズ交換ボタン３０２と、正面左端部（Ｘ方向左側）において突設され、ユーザが片手（又は両手）により確実に把持（保持）可能とするためのグリップ部３０３とが設けられている。また、カメラボディ１０には、正面右上部（Ｙ方向右上側）に配置されたモード設定ダイアル３０５と、正面左上部に配置されたシャッターボタン３０７と、シャッターボタン３０７の下方に配置された制御値設定ダイアル３０６とが設けられている。
【００１７】
また、図２において、カメラボディ１０の背面側には、ＬＣＤ（Liquid Crystal Display）部３１１と、ＬＣＤ部３１１付近に配置された設定ボタン３１２と、ＬＣＤ部３１１の右方に配置された十字キー３１４と、十字キー３１４の中央に配置されたプッシュボタン３１５とが備えられている。また、カメラボディ１０の背面側には、ＬＣＤ部３１１の上方に配設された光学ファインダ３１６と、光学ファインダ３１６の周囲を囲むアイカップ３２１と、光学ファインダ３１６の上方に配設されたフラッシュ部３１８および接続端子部３１９とが備えられている。
【００１８】
マウント部３０１は、交換レンズ２を装着するための部位であり、装着された交換レンズ２との電気的接続を行うためのコネクタＥｃ(図３参照)や、機械的接続を行うためのカプラ７５(図３参照)が設けられている。
【００１９】
レンズ交換ボタン３０２は、マウント部３０１に装着された交換レンズ２を取り外す際に押下されるボタンである。
【００２０】
グリップ部３０３は、ユーザが撮影時に当該カメラボディ１０を把持する部分であり、フィッティング性を高めるために指形状に合わせた形状を有している。なお、グリップ部３０３の後方には電池収納室とカード収納室とが設けられている。この電池収納室にはカメラの電源として電池６９Ｂ(図３参照)が収納されており、カード収納室には撮影画像の画像データを記録するための記録媒体であるメモリカード６７(図３参照)が着脱可能に収納されるようになっている。なお、グリップ部３０３には、当該グリップ部３０３をユーザが把持したか否かを検出するためのグリップセンサを設けるようにしても良い。
【００２１】
モード設定ダイアル３０５は、カメラボディ１０の上面と略平行な面内で回転可能な略円盤状の部材からなる。このモード設定ダイアル３０５は、自動露出（ＡＥ）制御モードや自動焦点（ＡＦ；オートフォーカス）制御モード、或いは１枚の静止画を撮影する静止画撮影モードや連続撮影を行う連続撮影モード等の各種撮影モード、記録済みの画像を再生する再生モード等、カメラボディ１０に搭載されたモードや機能を択一的に選択するためのものである。一方、制御値設定ダイアル３０６は、カメラボディ１０に搭載された各種の機能に対する制御値を設定するためのものである。
【００２２】
シャッターボタン３０７は、途中まで押し込んだ「半押し状態」の操作と、さらに押し込んだ「全押し状態」の操作とが可能とされた押下スイッチである。静止画撮影モードにおいてシャッターボタン３０７が半押し（Ｓ１）されると、被写体の静止画を撮影するための準備動作（露出制御値の設定や焦点調節等の準備動作）が実行される。そして、シャッターボタン３０７が全押し（Ｓ２）されると、撮影動作（撮像素子を露光し、その露光によって得られた画像信号に所定の画像処理を施してメモリカード等に記録する一連の動作）が実行される。
【００２３】
ＬＣＤ部３１１は、カラー液晶パネル(表示パネル)を備えており、撮像素子１０１(図３参照)によって撮像された画像の表示や記録済みの画像の再生表示等を行うとともに、カメラボディ１０に搭載される機能やモードの設定画面を表示するものである。なお、ＬＣＤ部３１１は、図６や図７に示すように表示パネルを備えたＬＣＤユニット３１１ｕと、ＬＣＤユニット３１１ｕの前方に配置されるＬＣＤ窓３１１ｗとを有している（後で詳述）。
【００２４】
設定ボタン３１２は、カメラボディ１０に搭載された各種の機能に対する操作を行うボタンである。この設定ボタン３１２には、例えばＬＣＤ部３１１に表示されるメニュー画面で選択された内容を確定するための選択確定スイッチ、選択取り消しスイッチ、メニュー画面の内容を切り替えるメニュー表示スイッチ、表示オン／オフスイッチ、表示拡大スイッチなどが含まれる。
【００２５】
十字キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、十字キー３１４の中央に配置されている。十字キー３１４及びプッシュボタン３１５は、撮影倍率の変更（ズームレンズのワイド方向やテレ方向への移動）、ＬＣＤ部３１１に再生する記録画像のコマ送り、及び撮影条件（絞り値、シャッタスピード、フラッシュ発光の有無等）の設定等の指示を入力するためのものである。
【００２６】
光学ファインダ３１６は、被写体が撮影される範囲を光学的に表示するものである。すなわち、光学ファインダ３１６には、交換レンズ２からの被写体像が導かれており、ユーザは、この光学ファインダ３１６を覗くことにより、実際に撮像素子１０１にて撮影される被写体を視認することができる。
【００２７】
フラッシュ部３１８は、ポップアップ式の内蔵フラッシュとして構成されている。一方、外部フラッシュ等をカメラボディ１０に取り付ける場合には、接続端子部３１９を使用して接続されることとなる。
【００２８】
アイカップ３２１は、遮光性を有して光学ファインダ３１６への外光の侵入を抑制する遮光部材である。
【００２９】
交換レンズ２は、被写体からの光（光像）を取り込むレンズ窓として機能するとともに、当該被写体光をカメラボディ１０の内部に配置されている後述の撮像素子１０１や光学ファインダ３１６へ導くための撮影光学系と構成するものである。この交換レンズ２は、上述のレンズ交換ボタン３０２を押下操作することで、カメラボディ１０から取り外すことが可能とされている。
【００３０】
交換レンズ２は、光軸に沿って直列的に配置された複数のレンズからなるレンズ群２１を備えてなる(図３参照)。このレンズ群２１には、焦点の調節を行うためのフォーカスレンズ２１１(図３参照)、変倍を行うためのズームレンズ２１２(図３参照)が含まれており、それぞれ光軸方向に駆動されることで、変倍や焦点調節が行われる。また、交換レンズ２には、その鏡胴の外周適所に当該鏡胴の外周面に沿って回転可能な操作環が備えられており、上記ズームレンズ２１２は、マニュアル操作或いはオート操作により、上記操作環の回転方向及び回転量に応じて光軸方向に移動し、その移動先の位置に応じたズーム倍率(撮影倍率)に設定されるようになっている。
【００３１】
［撮像装置１の電気的構成］
図３は、撮像装置１の電気的な構成を示すブロック図である。ここで、図１〜図２と同一の部材等については、同一の符号を付している。なお、説明の便宜上、交換レンズ２の電気的構成について先ず説明する。
【００３２】
交換レンズ２は、上述した撮影光学系を構成するレンズ群２１に加え、フォーカス駆動制御部７１Ａ及びＡＦアクチュエータ７１Ｍと、レンズ駆動機構２４と、レンズ位置検出部２５と、レンズ制御部２６と、絞り駆動機構２７とを備えている。
【００３３】
レンズ群２１では、フォーカスレンズ２１１及びズームレンズ２１２と、カメラボディ１０に備えられた撮像素子１０１へ入射される光量を調節するための絞り２３とが、鏡胴２２内において交換レンズ２の光軸方向に保持されており、被写体の光像を取り込んで撮像素子１０１に結像させる。ＡＦ制御では、フォーカスレンズ２１１が交換レンズ２内のＡＦアクチュエータ７１Ｍにより光軸方向に駆動されることで焦点調節が行われる。
【００３４】
フォーカス駆動制御部７１Ａは、レンズ制御部２６を介してメイン制御部６２から与えられるＡＦ制御信号に基づき、フォーカスレンズ２１１を合焦位置に移動させるために必要な、ＡＦアクチュエータ７１Ｍに対する駆動制御信号を生成するものである。ＡＦアクチュエータ７１Ｍは、ステッピングモータ等からなり、レンズ駆動機構２４にレンズ駆動力を与える。
【００３５】
レンズ駆動機構２４は、例えばヘリコイド及び当該ヘリコイドを回転させる図示省略のギア等で構成され、ＡＦアクチュエータ７１Ｍからの駆動力を受けて、フォーカスレンズ２１１等を光軸と平行な方向に駆動させるものである。なお、フォーカスレンズ２１１の移動方向及び移動量は、それぞれＡＦアクチュエータ７１Ｍの回転方向及び回転数に従う。
【００３６】
レンズ位置検出部２５は、レンズ群２１の移動範囲内において光軸方向に複数個のコードパターンが所定ピッチで形成されたエンコード板と、このエンコード板に摺接しながらレンズと一体的に移動するエンコーダブラシとを備えており、レンズ群２１の焦点調節時の移動量を検出する。なお、レンズ位置検出部２５で検出されたレンズ位置は、例えばパルス数として出力される。
【００３７】
レンズ制御部２６は、例えば制御プログラム等を記憶するＲＯＭや状態情報に関するデータを記憶するフラッシュメモリ等のメモリが内蔵されたマイクロコンピュータからなっている。
【００３８】
また、レンズ制御部２６は、コネクタＥｃを介してカメラボディ１０のメイン制御部６２との間で通信を行う通信機能を有している。これにより、例えばレンズ群２１の焦点距離、射出瞳位置、絞り値、合焦距離及び周辺光量状態等の状態情報データや、レンズ位置検出部２５で検出されるフォーカスレンズ２１１の位置情報をメイン制御部６２に送信できるとともに、メイン制御部６２から例えばフォーカスレンズ２１１の駆動量のデータを受信できる。
【００３９】
絞り駆動機構２７は、カプラ７５を介して絞り駆動アクチュエータ７６Ｍからの駆動力を受けて、絞り２３の絞り径を変更するものである。
【００４０】
続いて、カメラボディ１０の電気的構成について説明する。カメラボディ１０は、撮像素子１０１、シャッタユニット４０、ＡＦＥ（アナログフロントエンド）５、画像処理部６１、画像メモリ６１４、メイン制御部６２、フラッシュ回路６３、操作部６４、ＶＲＡＭ６５、カード・インターフェース（Ｉ／Ｆ）６６、メモリカード６７および通信用インターフェース（Ｉ／Ｆ）６８を備えて構成されている。また、カメラボディ１０は、電源回路６９、電池６９Ｂ、ミラー駆動制御部７２Ａ及びミラー駆動アクチュエータ７２Ｍ、シャッタ駆動制御部７３Ａ及びシャッタ駆動アクチュエータ７３Ｍ、絞り駆動制御部７６Ａ及び絞り駆動アクチュエータ７６Ｍを備えている。
【００４１】
撮像素子１０１は、カメラボディ１０に交換レンズ２が装着された場合の当該交換レンズ２が備えているレンズ群２１の光軸上において、光軸に対して垂直となる方向に配置されている。撮像素子１０１としては、例えばフォトダイオードを有して構成される複数の画素がマトリクス状に２次元配置されたＣＭＯＳカラーエリアセンサ（ＣＭＯＳ型の撮像素子）が用いられる。撮像素子１０１は、交換レンズ２を通って受光された被写体光束に関するＲ（赤）、Ｇ（緑）、Ｂ（青）各色成分のアナログの電気信号（画像信号）を生成し、Ｒ、Ｇ、Ｂ各色の画像信号として出力する。
【００４２】
撮像素子１０１は、後述のタイミング制御回路５１により、当該撮像素子１０１の露光動作の開始（及び終了）や、撮像素子１０１が備える各画素の出力選択、画素信号の読出し等の撮像動作が制御される。
【００４３】
撮像素子１０１の光軸方向前方には、シャッタユニット４０が配置されている。このシャッタユニット４０は、上下方向に移動する幕体を備え、その開動作および閉動作により交換レンズ２の光軸に沿って撮像素子１０１に導かれる被写体光の光路開口動作および光路遮断動作を行うメカニカルフォーカルプレーンシャッタとして構成されている。なお、シャッタユニット４０は、撮像素子１０１が完全電子シャッター可能な撮像素子である場合には省略可能である。
【００４４】
ＡＦＥ５は、撮像素子１０１に対して所定の動作を行わせるタイミングパルスを与えると共に、撮像素子１０１から出力される画像信号（ＣＭＯＳエリアセンサの各画素で受光されたアナログ信号群）に所定の信号処理を施し、デジタル信号に変換して画像処理部６１に出力するものである。このＡＦＥ５は、タイミング制御回路５１、信号処理部５２及びＡ／Ｄ変換部５３などを備えて構成されている。
【００４５】
タイミング制御回路５１は、メイン制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２やＡ／Ｄ変換部５３にそれぞれ出力することにより、信号処理部５２及びＡ／Ｄ変換部５３の動作を制御する。
【００４６】
信号処理部５２は、撮像素子１０１から出力されるアナログの画像信号に所定のアナログ信号処理を施すものである。この信号処理部５２には、ＣＤＳ（相関二重サンプリング）回路、ＡＧＣ（オートゲインコントロール）回路及びクランプ回路等が備えられている。Ａ／Ｄ変換部５３は、信号処理部５２から出力されたアナログのＲ、Ｇ、Ｂの画像信号を、タイミング制御回路５１から出力されるタイミングパルスに基づいて、複数のビット（例えば１２ビット）からなるデジタルの画像信号に変換するものである。
【００４７】
画像処理部６１は、ＡＦＥ５から出力される画像データに所定の信号処理を行って画像ファイルを作成するもので、黒レベル補正回路６１１、ホワイトバランス制御回路６１２及びガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００４８】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００４９】
ホワイトバランス補正回路６１２は、光源に応じた白の基準に基づいて、Ｒ(赤)、Ｇ(緑)、Ｂ(青)の各色成分のデジタル信号のレベル変換（ホワイトバランス(ＷＢ)調整）を行うものである。すなわちホワイトバランス制御回路６１２は、メイン制御部６２から与えられるＷＢ調整データに基づき、撮影被写体において輝度や彩度データ等から本来白色であると推定される部分を特定し、その部分のＲ、Ｇ、Ｂそれぞれを色成分の平均と、Ｇ／Ｒ比及びＧ／Ｂ比とを求め、これをＲ、Ｂの補正ゲインとしてレベル補正する。
【００５０】
ガンマ補正回路６１３は、ＷＢ調整された画像データの階調特性を補正するものである。具体的にはガンマ補正回路６１３は、画像データのレベルを色成分毎に予め設定されたガンマ補正用テーブルを用いて非線形変換するとともにオフセット調整を行う。
【００５１】
画像メモリ６１４は、撮影モード時において、画像処理部６１から出力される画像データを一時的に記憶するとともに、この画像データに対しメイン制御部６２により所定の処理を行うための作業領域として用いられるメモリである。また、再生モード時には、メモリカード６７から読み出した画像データを一時的に記憶する。
【００５２】
メイン制御部６２は、例えば制御プログラムを記憶するＲＯＭや一時的にデータを記憶するＲＡＭ等の記憶部が内蔵されたマイクロコンピュータからなり、撮像装置１各部の動作を制御するものである。
【００５３】
フラッシュ回路６３は、フラッシュ撮影モードにおいて、フラッシュ部３１８または接続端子部３１９に接続される外部フラッシュの発光量を、メイン制御部６２により設定された発光量に制御するものである。
【００５４】
操作部６４は、上述のモード設定ダイアル３０５、制御値設定ダイアル３０６、シャッターボタン３０７、十字キー３１４、プッシュボタン３１５等を含み、操作情報をメイン制御部６２に入力するためのものである。
【００５５】
ＶＲＡＭ６５は、ＬＣＤ部３３１の画素数に対応した画像信号の記憶容量を有し、メイン制御部６２とＬＣＤ部３３１との間のバッファメモリである。カードＩ／Ｆ６６は、メモリカード６７とメイン制御部６２との間で信号の送受信を可能とするためのインターフェースである。メモリカード６７は、メイン制御部６２で生成された画像データを保存する記録媒体である。通信用Ｉ／Ｆ６８は、パーソナルコンピュータやその他の外部機器に対する画像データ等の伝送を可能とするためのインターフェースである。
【００５６】
電源回路６９は、例えば定電圧回路等からなり、メイン制御部６２等の制御部、撮像素子１０１、その他の各種駆動部等、撮像装置１全体を駆動させるための電圧を生成する。なお、撮像素子１０１への通電制御は、メイン制御部６２から電源回路６９に与えられる制御信号により行われる。電池６９Ｂは、ニッケル水素充電池等の二次電池や、アルカリ乾電池等の一次電池からなり、撮像装置１全体に電力を供給する電源である。
【００５７】
ミラー駆動制御部７２Ａは、撮影動作のタイミングに合わせて、ミラー駆動アクチュエータ７２Ｍを駆動させる駆動信号を生成するものである。ミラー駆動アクチュエータ７２Ｍは、例えばクイックリターンミラーとして構成されるミラー部１０３を、水平姿勢若しくは傾斜姿勢に回動させるアクチュエータである。
【００５８】
シャッタ駆動制御部７３Ａは、メイン制御部６２から与えられる制御信号に基づき、シャッタ駆動アクチュエータ７３Ｍに対する駆動制御信号を生成するものである。シャッタ駆動アクチュエータ７３Ｍは、シャッタユニット４０の開閉駆動を行うアクチュエータである。
【００５９】
絞り駆動制御部７６Ａは、メイン制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００６０】
［リアカバーＲＣの構成］
図４は、リアカバーＲＣの外観構成を示す図である。この図４は、(−Ｚ)方向に向かってリアカバーＲＣを見た図である。
【００６１】
撮像装置１の筐体として構成されるリアカバーＲＣは、例えばプラスチックで形成され、図２に示す十字キー３１４および光学ファインダ３１６を取り付けるための孔Ｈ１、Ｈ２が形成されている。また、リアカバーＲＣには、十字キー３１４用の孔Ｈ１の右側で光学ファインダ３１６用の孔Ｈ２の下側に矩形状の凹部(凹形状部)ＣＶが設けられている。この凹部ＣＶの構成について詳しく説明する。
【００６２】
図５は、図４のＶ−Ｖ位置から見た断面図である。また、図６および図７は、リアカバーＲＣの構成を説明するための斜視図である。
【００６３】
リアカバーＲＣの凹部ＣＶは、一定の肉厚を有した矩形板状の底壁Ｗｂと、４つの側壁Ｗｓとで構成されており、この凹部ＣＶには、下面３１１ｂの形状が略平面形状で上面に表示画面ＧＦが設けられた矩形板のＬＣＤユニット(表示パネル部)３１１ｕが、その下部から収納される(図６〜７)。そして、例えばプラスチックで形成され表示画面ＧＦに対応した透明部分Ｗｔを有する板状の部材としてのＬＣＤ窓３１１ｗが、凹部ＣＶの開口周辺に形成された段差部ＳＰの底面ＳＰｓに接着されることで凹部ＣＶの開口が塞がれる。このようなＬＣＤ窓３１１ｗにより、ＬＣＤユニット３１１ｕを保護できることとなる。なお、凹部ＣＶに収納されＬＣＤ窓３１１ｗで封入されたＬＣＤユニット３１１ｕは、例えばＸＹ平面の方向に一定の遊びを持って遊嵌されるが、後述の板バネＢＳの付勢力により固定されることとなる。
【００６４】
また、凹部ＣＶの底壁Ｗｂの上面、つまり凹部ＣＶ内の底面ＣＶｂは、ＬＣＤユニット３１１ｕの下面３１１ｂの平面形状に適合したフラットな形状であり平面性を有している。このような構成により、凹部ＣＶの底面ＣＶｂにＬＣＤユニット３１１ｕの下面全体がフィットできるようになるため、ＬＣＤユニット３１１ｕの局部に剪断方向(Ｚ軸方向)の加重が作用しても、ＬＣＤユニット３１１ｕが割れて破損するのを抑えることができる。
【００６５】
一方、段差部ＳＰの底面ＳＰｓに端部が接着されるＬＣＤ窓３１１ｗは、その主面に対して略垂直方向に配置された凹部ＣＶの４つの側壁Ｗｓ全ての上方に載設されることとなるため、これらの側壁Ｗｓが底面ＳＰｓの強度を補強する補強リブの役割を果たして、ＬＣＤ窓３１１ｗの捻れなどを抑制することが可能となる。その結果、ＬＣＤ窓３１１ｗに外力が作用しても凹部ＣＶ(およびＬＣＤ窓３１１ｗ)の変形を小さくできるため、ＬＣＤユニット３１１ｕの適切な保護が図れる。
【００６６】
ところで、ＬＣＤユニット３１１ｕは、カメラボディ１０の内部に搭載されたＬＣＤ駆動制御回路などの電気回路に電気的に接続する必要があるとともに、静電・輻射対策としてカメラボディ１０内に設けられたグランド部(接地部)にＬＣＤユニット３１１ｕの金属部品を接地する必要がある。
【００６７】
よって、本実施形態のリアカバーＲＣでは、凹部ＣＶにおける左右の側壁Ｗｓ(Ｗｓａ、Ｗｓｂ)に孔(貫通孔)Ｈａ(網掛けで図示)および２つの孔Ｈｂを形成してカメラボディ１０の内部との電気的な接続を行うようにしている。具体的には、ＬＣＤユニット３１１ｕの駆動制御信号等が流れるフレキシブルプリント配線板(以下では「フレキ」とも略称する)３１１ｆを通す矩形状の孔Ｈａが設けられ、カメラボディ１０内のグランド部に電気接続するための２つの矩形状の孔Ｈｂが設けられている。
【００６８】
しかし、凹部ＣＶの側壁Ｗｓａ、Ｗｓｂに孔Ｈａ、Ｈｂを形成すれば、リアカバーＲＣの強度が低下してしまう恐れがある。
【００６９】
そこで、リアカバーＲＣにおいては、孔Ｈａ、Ｈｂによる強度低下を抑えるために、これらの周辺に強度補強用の部材を設けるようにしている。具体的には、図４に示すように凹部ＣＶの周囲における各側壁Ｗｓａ、Ｗｓｂの周辺に、リアカバーＲＣの外壁から（＋Ｚ）方向に延設された補強リブＲａ、Ｒｂ(破線の楕円内付近の黒塗り部分)を設けている。この補強リブＲａ、Ｒｂの高さ(＋Ｚ方向の突出量)は、凹部ＣＶの深さＬａ(図５)程度にして、カメラボディ１０内に搭載する部品(例えば撮像素子１０１やミラーボックスなど)の設置スペースを侵食させないようにするのが好ましい。
【００７０】
また、孔Ｈｂより開口面積が大きい孔Ｈａが形成された側壁ＷＳａの強度は低いため、本実施形態では、側壁Ｗｓａの周辺に強度補強用の部材を更に設けるようにしている。具体的には、図４に示すように補強リブＲａの左側に「Ｈ」字状の断面を持った２本のボスリブ(補強リブ)Ｒｓ(黒塗り部)を設置してリアカバーＲＣの変形を抑制する。このボスリブＲｓは、補強リブＲａ、Ｒｂと同様にリアカバーＲＣの外壁から(＋Ｚ)方向に延設されるが、その高さは凹部ＣＶの深さＬａ(図５)より大きく、ボスリブＲｓの先端がカメラボディ１０内の部品で支持されるようになっている。これにより、リアカバーＲＣにおける側壁Ｗｓａおよびその周辺が一層補強されることとなる。
【００７１】
このような構成のリアカバーＲＣでは、例えば図８に示すように孔Ｈａを通ったＬＣＤユニット３１１ｕのフレキ３１１ｆが配置される。一方、カメラボディ１０内のグランド部と電気的に接続する金属製の板バネＢＳの先端が孔Ｈｂを通ってＬＣＤユニット３１１ｕに当接する。より詳しくは、板バネＢＳ(図８)の周辺を拡大した図９のように、固定支点ＦＰにより支持されて湾曲する板バネＢＳにおいて、その両端の突起先端(接点)ＴＰがＬＣＤユニット３１１ｕの接地用の金属部位ＥＰに接触する。このような板バネＢＳにより、Ｘ軸に沿った方向Ｄｒの付勢力をＬＣＤユニット３１１ｕに与えられるため、ＬＣＤユニット３１１ｕからＬＣＤ窓３１１ｗに向かうＺ軸方向の力が作用するのを抑えられ、段差部ＳＰの底面ＳＰｓに接着されたＬＣＤ窓３１１ｗが剥がれ難くなる。
【００７２】
以上の構成を有する撮像装置１のリアカバーＲＣにおいては、図５のように凹部ＣＶ内の底面ＣＶｂがＬＣＤユニット３１１ｕの下面形状に適合した形状を有している。そして、このリアカバーＲＣでは、図６〜７のように凹部ＣＶの側壁Ｗｓａ、ＷｓｂにＬＣＤユニット３１１ｕに関する電気部品(フレキ３１１ｆや金属製の板バネＢＳ)を通す孔(貫通孔)Ｈａ、Ｈｂが形成され、これらの孔Ｈａ、Ｈｂの周辺にリアカバー(筐体)ＲＣと一体として形成された補強リブＲａ、Ｒｂ、Ｒｓ(図４)が設けられている。その結果、ＬＣＤユニット３１１ｕの破損を抑えられるとともに、リアカバーＲＣの強度低下を抑制しつつフレキ３１１ｆや板バネＢＳを用いてカメラボディ１０内部からＬＣＤユニット３１１ｕに対しての電気接続を容易に行える。
【００７３】
＜変形例＞
上記の実施形態のリアカバーＲＣにおいては、凹部ＣＶ内の底面ＣＶｂが完全な平面形状となるのは必須でなく、フラットな底面ＣＶｂに例えば電気接続用の比較的小さな貫通孔が１個または２個以上形成された孔付き平面形状となっていても良い。このような孔付き平面形状でも、ＬＣＤユニット３１１ｕの破損を抑えることができる。このことから、凹部ＣＶ内の底面ＣＶｂは、実質的に平坦な面、つまり平面性を有していれば良いこととなる。
【００７４】
上記の実施形態のリアカバーＲＣにおいては、ＬＣＤユニット３１１ｕの下面形状が略平面形状でない場合、例えば下面の一部に凸部や凹部が形成されていたり下面が湾曲している場合には、その下面形状に適合した形状、つまり凹部や凸部、曲面を備えた形状を凹部ＣＶ内の底面ＣＶｂに形成するようにする。これにより、凹部ＣＶ内の底面ＣＶｂにＬＣＤユニット３１１ｕの下面がフィットされるため、ＬＣＤユニット３１１ｕの破損を効果的に抑えることができる。
【００７５】
本発明については、上述した撮像装置に限らず、ＰＤＡ（Personal Digital Assistants）やモバイルパソコン、携帯電話等を含む電子機器に適用することが可能である。
【００７６】
本発明は詳細に説明されたが、以上の説明は、すべての局面において、例示であって、この発明がそれに限定されるものではない。例示されていない無数の変形例が、この発明の範囲から外れることなく想定され得るものと解される。
【符号の説明】
【００７７】
１  撮像装置
２  交換レンズ
１０  カメラボディ
３１１  ＬＣＤ
３１１ｆ  フレキシブルプリント配線板(フレキ)
３１１ｕ  ＬＣＤユニット
３１１ｗ  ＬＣＤ窓
ＢＳ  板バネ
ＣＶ  凹部
ＣＶｂ  凹部内の底面
ＧＦ  表示画面
Ｈａ、Ｈｂ  孔
Ｒａ、Ｒｂ  補強リブ
ＲＣ  リアカバー
Ｒｓ  ボスリブ
Ｗｂ  底壁
Ｗｓ、Ｗｓａ、Ｗｓｂ  側壁
【図１】
2010230755.tif 000003
【図２】
2010230755.tif 000004
【図３】
2010230755.tif 000005
【図４】
2010230755.tif 000006
【図５】
2010230755.tif 000007
【図６】
2010230755.tif 000008
【図７】
2010230755.tif 000009
【図８】
2010230755.tif 000010
【図９】
2010230755.tif 000011